(57)【要約】      （修正有）【課題】自動で各装置の接続順番が設定され、ユーザの作業負担が軽減される印刷ラインを構成する装置を提供する。【解決手段】印刷ラインを構成する各装置は、自己の装置の識別情報を自己の装置とＩＥＥＥ１３９４シリアルバスを介して接続された他の装置に送信すると共に、他の装置の識別情報を受信するプロセッサと、自己の装置の識別情報を連続紙２に印刷する印刷装置１２０と、連続紙２の搬送方向に対して自己の装置よりも上流側で接続された他の装置により記録された他の装置の識別情報を、連続紙２から読み取る読取装置１１０とを有し、プロセッサは、読取装置１１０により読み取られた識別情報を他の装置に送信すると共に他の装置が連続紙２から読み取った識別情報を受信する。【選択図】図１
2008114500.tif 000002
【特許請求の範囲】
【請求項１】
自己の装置の識別情報を前記自己の装置と通信手段を介して接続された他の装置に送信すると共に、前記他の装置の識別情報を受信する送受信手段と、
前記自己の装置の識別情報を連続紙に記録する記録手段と、
前記連続紙の搬送方向に対して前記自己の装置よりも上流側で接続された他の装置により記録された前記他の装置の識別情報を、前記連続紙から読み取る読み取り手段とを有し、
前記送受信手段は、前記読み取り手段により読み取られた識別情報を前記他の装置に送信すると共に前記他の装置が連続紙から読み取った識別情報を受信する、ことを特徴とする印刷ラインを構成する装置。
【請求項２】
前記記録手段は、前記連続紙に自己の装置の識別情報を示すバーコードを印刷し、
前記読取手段は、前記バーコードを読み取るバーコードリーダである、
ことを特徴とする請求項１に記載の印刷ラインを構成する装置。
【請求項３】
前記送受信手段は、ブロードキャスト通信により、前記自己の装置の識別情報及び前記読み取り手段により読み取られた識別情報を前記他の装置に送信する、ことを特徴とする請求項１又は２に記載の印刷ラインを構成する装置。
【請求項４】
ＩＥＥＥ１３９４シリアルバス接続により決定されるノードＩＤを前記識別情報とする、ことを特徴とする請求項１乃至３の何れかに記載の印刷ラインを構成する装置。
【請求項５】
前記印刷ライン構成装置は、前記連続紙を送り出す送出装置、前記連続紙に所定の画像を形成する画像形成装置、前記連続紙を回収する回収装置、前記連続紙を裁断する裁断装置、所定の用紙を挟み込む挿入装置及び区分け作業を行う区分け装置の何れかである、ことを特徴とする請求項１乃至４の何れかに記載の印刷ラインを構成する装置。
【請求項６】
請求項１乃至５の何れかの印刷ラインを構成する装置を複数備えた印刷ラインシステム。
【請求項７】
自己の装置の識別情報を前記自己の装置と通信手段を介して接続された他の装置に送信するステップと、
前記他の装置の識別情報を受信するステップと、
前記自己の装置の識別情報を連続紙に記録するステップと、
前記連続紙の搬送方向に対して前記自己の装置よりも上流側で接続された他の装置により記録された前記他の装置の識別情報を、前記連続紙から読み取るステップと、
前記読み取り手段により読み取られた識別情報を前記他の装置に送信するステップと、
前記他の装置が連続紙から読み取った識別情報を受信するステップとを有する、ことを特徴とする印刷ライン設定方法。
【発明の詳細な説明】
【技術分野】
【０００１】
本発明は、連続紙に印刷などを行うための印刷ラインを構成する装置に関する。
【背景技術】
【０００２】
従来から、商業印刷などにおいては、印刷を行うプリンタの他、アンワインダやカッター、インサータなどの各種処理を行う複数の装置を接続して構成される印刷ラインシステムが用いられる。
このような印刷ラインシステムは、多様な印刷業務に対応するために、各装置の接続を変えて連続紙の搬送路を変更したり、あるいは、稼働率向上のために予備の装置を用意して、故障の際には別の装置を使用して連続用の搬送路を変更することが行われている。
一方、これら各種装置を統合制御するための接続方式として、特許文献１に開示されているようなシリアルバス方式がある。この方式を用いることにより、各装置を通信を行うことによって各種装置を統合制御することができる。
【０００３】
【特許文献１】特開２００１−３２６６５６号公報
【発明の開示】
【発明が解決しようとする課題】
【０００４】
しかしながら、このような印刷ラインシステムにおいて、初期導入時や、各装置の接続を変えて搬送路を変更する際には、ユーザは、各装置に対して前後に接続される装置に関する情報を手動で再度設定する必要があった。
また、各装置を統合制御するコントローラがある場合であっても、ユーザは、各装置を手動で設定する必要があった。
このような設定は、接続される装置が多い場合には煩雑な作業となり、また正確さも要求されるため、ユーザに負担となっていた。
【０００５】
そこで本発明は、自動で各装置の接続順番が設定され、ユーザの作業負担が軽減される印刷ラインを構成する装置を提供することを目的とする。
【課題を解決するための手段】
【０００６】
上記目的は、自己の装置の識別情報を前記自己の装置と通信手段を介して接続された他の装置に送信すると共に、前記他の装置の識別情報を受信する送受信手段と、前記自己の装置の識別情報を連続紙に記録する記録手段と、前記連続紙の搬送方向に対して前記自己の装置よりも上流側で接続された他の装置により記録された前記他の装置の識別情報を、前記連続紙から読み取る読み取り手段とを有し、前記送受信手段は、前記読み取り手段により読み取られた識別情報を前記他の装置に送信すると共に前記他の装置が連続紙から読み取った識別情報を受信する、ことを特徴とする印刷ラインを構成する装置によって達成できる。
【０００７】
この構成によって、印刷ラインを構成する装置は、接続された他の装置の識別情報を取得することができ、また上流側で接続された他の装置により記録された他の装置の識別情報を連続紙から読み取ることにより、自己の装置が印刷ラインにおいて、何番目に接続された装置か把握することができる。また、他の装置が連続紙から読み取った識別情報を受信することにより、他の装置が印刷ラインにおいて、何番目に接続された装置かを把握することができる。これにより、印刷ラインを構成する装置は、その接続順を容易に把握することができる。
また、自己の識別情報を連続紙に印刷することにより、他の装置がその自己の識別情報を連続紙から読み取ることによって、他の装置も印刷ラインにおいて、何番目に接続された装置かを把握することができる。また、自己の装置が連続紙から読み取った他の装置の識別情報を他の装置に送信することによって、自己の装置が印刷ラインにおいて、何番目に接続された装置かを他の装置が把握することができる。
以上により、ユーザが接続順を設定することなく、自動で各装置の接続順番が設定される。これにより、ユーザの作業負担を軽減することができる。
【０００８】
また、上記構成において、前記記録手段は、前記連続紙に自己の装置の識別情報を示すバーコードを印刷し、前記読取手段は、前記バーコードを読み取るバーコードリーダである、構成を採用できる。
この構成により、容易に連続紙に自己の装置の識別情報を記録することができる。また、他の装置が記録した識別情報についても容易に読み取ることができる。
【０００９】
また上記構成において、前記送受信手段は、ブロードキャスト通信により、前記自己の装置の識別情報及び前記読み取り手段により読み取られた識別情報を前記他の装置に送信する、構成を採用できる。
この構成により、他の装置に自己の装置の識別情報を瞬時に送信することができる。
【００１０】
また上記構成において、ＩＥＥＥ１３９４シリアルバス接続により決定されるノードＩＤを前記識別情報とする、構成を採用できる。
この構成により、自己の装置の識別情報を容易に設定することができる。
【００１１】
また上記構成において、前記印刷ライン構成装置は、前記連続紙を送り出す送出装置、前記連続紙に所定の画像を形成する画像形成装置、前記連続紙を回収する回収装置、前記連続紙を裁断する裁断装置、所定の用紙を挟み込む挿入装置及び区分け作業を行う区分け装置の何れかである、構成を採用できる。
この構成により、印刷ラインを構成する装置が多種多様なものであっても、各装置は容易に接続順を把握することができる。
【００１２】
また、上記目的は上記の何れかの印刷ラインを構成する装置を複数備えた印刷ラインシステムによっても達成できる。
この構成により、ユーザの作業負担が軽減される印刷ラインシステム提供できる。
【００１３】
また、上記目的は、自己の装置の識別情報を前記自己の装置と通信手段を介して接続された他の装置に送信するステップと、前記他の装置の識別情報を受信するステップと、前記自己の装置の識別情報を連続紙に記録するステップと、前記連続紙の搬送方向に対して前記自己の装置よりも上流側で接続された他の装置により記録された前記他の装置の識別情報を、前記連続紙から読み取るステップと、前記読み取り手段により読み取られた識別情報を前記他の装置に送信するステップと、前記他の装置が連続紙から読み取った識別情報を受信するステップとを有する印刷ライン設定方法によっても達成できる。
【００１４】
この構成によって、印刷ラインを構成する装置は、接続された他の装置の識別情報を取得することができ、また上流側で接続された他の装置により記録された他の装置の識別情報を連続紙から読み取ることにより、自己の装置が印刷ラインにおいて、何番目に接続された装置か把握することができる。また、他の装置が連続紙から読み取った識別情報を受信することにより、他の装置が印刷ラインにおいて、何番目に接続された装置かを把握することができる。これにより、印刷ラインを構成する装置は、その接続順を容易に把握することができる。
また、自己の識別情報を連続紙に印刷することにより、他の装置がその自己の識別情報を連続紙から読み取ることによって、他の装置も印刷ラインにおいて、何番目に接続された装置かを把握することができる。また、自己の装置が連続紙から読み取った他の装置の識別情報を他の装置に送信することによって、自己の装置が印刷ラインにおいて、何番目に接続された装置かを他の装置が把握することができる。
以上により、ユーザが接続順を設定することなく、自動で各装置の接続順番が設定される。これにより、ユーザの作業負担を軽減することができる。
【発明の効果】
【００１５】
本発明によれば、自動で各装置の接続順番が設定され、ユーザの作業負担が軽減される印刷ラインを構成する装置を提供することを目的とする。
【発明を実施するための最良の形態】
【００１６】
以下、本発明を実施するための最良の形態を図面と共に詳細に説明する。
図１は、本発明に係る印刷ラインシステムについての構成を示した例示図である。
印刷ラインシステム１は、アンワインダ（送出装置）１００、第１プリンタ（画像形成装置）２００、第２プリンタ（画像形成装置）３００、ワインダ（回収装置）４００から構成される。
【００１７】
アンワインダ１００は、連続紙２が巻回された状態で保持しており、回転することによって連続紙２が送り出される。
第１プリンタ２００は、アンワインダ１００よりも下流側に設置され、アンワインダ１００から巻き出された連続紙２に所定の画像を印刷する。
第２プリンタ３００は、第１プリンタ２００よりも下流側に設置され、連続紙２に所定の画像を印刷する。
ワインダ４００は、第２プリンタ３００よりも下流側に設置され、所定の画像が印刷された連続紙２を巻き取る。
【００１８】
これらアンワインダ１００、第１プリンタ２００、第２プリンタ３００及びワインダ４００のそれぞれに、後述する読取装置と、印刷装置が設けられている。
尚、アンワインダ１００、第１プリンタ２００、第２プリンタ３００、ワインダ４００は、それぞれＩＥＥＥ１３９４シリアルバス（通信手段）１０により接続される。このＩＥＥＥ１３９４シリアルバス１０は、このバス自体が自動的に各装置のノードＩＤを決定する機能を有している。
【００１９】
次に、第１プリンタ２００の構成について説明する。
図２は、第１プリンタ２００の構成を示した図である。
第１プリンタ２００は、読取装置２１０、印刷装置２２０、プリンタコントローラ２３０、メカニカルコントローラ２４０などから構成される。
【００２０】
プリンタコントローラ２３０は、第１プリンタ２００の全体の作動を制御する。
印刷装置２２０は、感光体、現像カートリッジなどから構成されるロータリー方式のものであり、感光体に担持されたトナー像を連続紙２に転写して印刷を行う。
また、印刷装置２２０は、後述するセットアップモード時において、自己の装置の識別情報を示すバーコードを連続紙２に印刷する。詳しくは後述する。
メカニカルコントローラ２４０は、プリンタコントローラ２３０から指令に基づき、プリンタ２００の機械的な動作を制御する。
【００２１】
図３は、プリンタコントローラ２３０の構成を示した図である。
プリンタコントローラ２３０は、プロセッサ２３１、メモリ２３２、シリアルバスコントローラ２３３などから構成される。
シリアルバスコントローラ２３３は、接続されたＩＥＥＥ１３９４シリアルバス１０による他の装置へのデータ転送などを制御する。
また、プロセッサ（取得手段）２３１は、ＩＥＥＥ１３９４シリアルバス１０への接続により、自動的に付されたノードＩＤを自己の装置の識別情報として、メモリ２３２へ記憶させる。印刷装置２２０は、このノードＩＤに対応させたバーコードを、連続紙２に印刷する。
【００２２】
また、プロセッサ（送受信手段）２３１は、自己の装置の識別情報を、シリアルバスコントローラ２３３に指令を出して、ブロードキャスト通信により、ＩＥＥＥ１３９４シリアルバス１０を介して、アンワインダ１００、第２プリンタ３００及びワインダ４００などの他の装置に送信する。
また、プロセッサ２３１は、アンワインダ１００などの他の装置から送信される他の装置の識別情報を、シリアルバスコントローラ２３３を介して受信し、メモリ２３２に他の装置の識別情報を記憶させる。
また、プロセッサ２３１は、詳しくは後述するが、読取装置２１０を介して連続紙２から読み取った他の装置の識別情報を他の装置に送信すると共に、他の装置が連続紙２から読み取った識別情報を受信する。
【００２３】
図４は、読取装置２１０の構成を示した図である。
読取装置２１０は、バーコードリーダ２１１などから構成される。
バーコードリーダ２１０は、連続紙２に印刷されたバーコードを読み取る。詳細には、他の装置により印刷された、他の装置の識別情報を示すバーコードを読み取る。
尚、第２プリンタ３００についても、第１プリンタ２００と略同一の構成である。
【００２４】
次に、アンワインダ１００に備えられているコントローラについて説明する。
図５は、アンワインダ１００に備えられているアンワインダコントローラ１３０の構成を示す図である。
アンワインダ１００には、読取装置１１０、印刷装置１２０、アンワインダコントローラ１３０、メカニカルコントローラ１４０などを備える。
アンワインダコントローラ１３０は、アンワインダ１００の全体の作動を制御するものであり、プロセッサ１３１、メモリ１３２、シリアルバスコントローラ１３３などから構成される。
メカニカルコントローラ１４０は、アンワインダコントローラ１３０からの指令に基づき、アンワインダ１００の機械的な動作を制御する。
【００２５】
読取装置１１０は、バーコードリーダなどから構成され、連続紙２に印刷されたバーコードを読み取る。詳細には、他の装置により印刷された、他の装置の識別情報を示すバーコードを読み取る。
印刷装置１２０は、後述するセットアップモード時において、自機の識別情報を示すバーコードを連続紙２に印刷する。詳しくは後述する。
【００２６】
図６は、印刷装置１２０の構成を示した図である。
印刷装置１２０は、インクジェットヘッド１２１などを備えている。
インクジェットヘッド１２１により、連続紙２に自機の識別情報を示すバーコードが印刷される。
【００２７】
次に、連続紙２に印刷される、識別情報としてのバーコードについて説明する。
図７は、連続紙２にバーコードが印刷された場合の例示図である。
印刷装置１２０、２２０…のそれぞれは、連続紙２の左側の領域に自己の装置の識別情報を示すバーコードＢを印刷する。
読取装置１１０、２１０…がこのバーコードＢを読み取ることにより、自己の装置よりも上流側で接続された装置の識別情報を把握することができる。
【００２８】
図８は、識別情報としてバーコード以外の識別情報を印刷する場合の第１変形例を示す図である。マークＣ１とマークＣ２との距離は、各装置のノードＩＤに対応した固有ＩＤ長を有する。読取装置１１０、２１０…がマークＣ１とマークＣ２との距離を読み取ることにより、自己の装置よりも上流側で接続された装置の識別情報を把握することができる。
【００２９】
図９も同様に、識別情報としてバーコード以外の識別情報を印刷する場合の第２変形例を示す図である。マークＤは、各装置のノードＩＤに対応した形状を有する。読取装置１１０、２１０…がマークＤを読み取ることにより、自己の装置よりも上流側で接続された装置の識別情報を把握することができる。
【００３０】
次に、セットアップ処理の遷移の要否を判定について説明する。
図１０は、セットアップ処理の遷移の要否を判定処理を示したフローチャートである。
各装置のプロセッサ１３１、２３１…は、ソフトウェア、又はハードウェアを設置・導入した初期導入時であるかどうかを判定する（ステップＳ１）。
初期導入時ではない場合には、各装置のプロセッサ１３１、２３１…は、ＩＥＥＥ１３９４シリアルバス１０の接続トポロジーの変化から、ノードＩＤの変化を検出したかどうかを判定する（ステップＳ２）。
【００３１】
ノードＩＤの変化が検出されていない場合には、各装置のプロセッサ１３１、２３１…は、接続機器の取り外しや増設により、印刷ラインシステム１の装置の総接続台数が変化したかどうかを判定する（ステップＳ３）。
総接続台数が変化していない場合には、各装置のプロセッサ１３１、２３１…は、ユーザの操作により送信されたセットアップ要求を受信したかどうかを判定する（ステップＳ４）。
【００３２】
セットアップ要求を受信していない場合には、各装置のプロセッサ１３１、２３１…は、セットアップ処理を実行しない。
初期導入時の場合、ノードＩＤの変化を検出した場合、印刷ラインシステム１の装置の総接続台数が変化した場合又はセットアップ要求を受信した場合には、セットアップ処理を実行する（ステップＳ５）。
【００３３】
次に、セットアップ処理の内容について具体的に説明する。
図１１、図１２は、セットアップ処理の説明図である。
尚、図１１、図１２においては、印刷ラインシステムを構成する装置の総接続数をｎとして説明する。また、装置＃１から順に下流側に装置＃２、装置＃３、…装置＃ｎが接続されているものとする。
【００３４】
図１１に示すように、各装置が接続され電源が投入された後に、各装置のプロセッサは、バスリセット（※１）を実行する。これにより、ＩＥＥＥ１３９４シリアルバスに接続された各装置は、ＩＥＥＥ１３９４シリアルバスの機能により、新たにノードＩＤが付与される。
【００３５】
次に、装置＃１は、接続されたその他の装置すべてに、他の装置のノードＩＤ、即ち各装置の識別情報を要求する（※２）。この要求を受信した他の装置は、装置＃１に対して、自己のノードＩＤ、即ち識別情報を送信する（※３、※４）。
【００３６】
次に、装置＃２についても同様に、他の装置すべてに、他の装置のノードＩＤを要求する（※５）。この要求を受信した装置は、装置＃２に対して自己のノードＩＤを送信する（※６、※７）。
【００３７】
同様に、装置＃ｎも、他の装置のノードＩＤを要求し（※８）、この要求を受信した装置は、装置＃ｎに対して自己のノードＩＤを送信する（※９、※１０）。
以上の処理により、各装置は、接続された他の全ての装置の識別情報を把握することができる。
【００３８】
次に、図１２に示すように、装置＃１は、セットアップ処理の必要があると判定し（※１１）、他の装置すべてにセットアップ要求を送信する（※１２）。
各装置は、セットアップモードに遷移し（※１３、※１４、※１５）、連続紙に自己の装置の識別情報を示すマーク、或いはバーコードなどを印刷する（※１６、※１７、※１８）。
【００３９】
次に、各装置は、搬送されてくる連続紙から、自己の装置よりも上流側で接続された他の装置の識別情報を読み取る（※１９、※２０、※２１）。これにより、各装置は、自己の装置よりも上流で接続された装置を把握することができる。
【００４０】
次に、装置＃１は、自己の装置が読み取った識別情報を他の装置に送信する（※２２）。尚、装置＃１は、この場合、最も上流側で接続された装置であるため、他の装置の識別情報を読み取ることはできない。このため、装置＃１は、読み取った識別情報がないとして、他の装置に送信する。これにより、他の装置は、装置＃１が、最も上流で接続された装置と把握することができる。
【００４１】
次に、装置＃２は、自己の装置が読み取った識別情報を他の装置に送信する（※２３）。この場合、装置＃２は、装置＃１が連続紙に記録した識別情報を読み取ることができるので、装置＃２は、読み取った識別情報は装置＃１のもの出るとして他の装置に送信する。これにより他の装置は、上流から２番目に接続された装置が、装置＃２であることを把握することができる。
【００４２】
次に、装置＃ｎについても同様に、自己の装置が読み取った識別情報を他の装置に送信する（※２３）。この場合、装置＃ｎよりも上流側の他の装置により記録された識別情報の全てを読み取る。従って、装置＃ｎは、装置＃１、装置＃２・・・が記録した識別情報を読み取る。即ち、装置＃ｎは、ｎ−１台分の識別情報を読み取る。装置＃ｎは、この読み取った識別情報を他の装置に送信する。
【００４３】
次に、各装置がｎ−１台分の識別情報を受信すると（※２５、※２６、※２７）、装置＃ｎは、連続紙の搬送を停止させるための信号を他の装置の全てに送信する（※２８）。
【００４４】
この停止信号を受信すると、各装置は連続紙の搬送を停止させ（※２９．※３０、※３１）、各装置は、通常モードへの遷移する（※３２、※３３、※３４）。通常モードへと遷移した各装置は、それぞれの機能を実行して連続紙に印刷等を行う。
【００４５】
次に、印刷ラインシステムの変形例について説明する。図１３は、印刷ラインシステムの第１の変形例を示した図である。
図１３に示すように、印刷ラインシステム１Ａは、最も下流で接続される装置として、カッター装置５００（裁断装置）が接続されている。このカッター装置５００は、上流側から搬送された連続紙２を所定の大きさ毎に裁断する。尚、このカッター装置５００についても、他の装置と同様、読取装置５１０、印刷装置５２０などを備えている。
【００４６】
なお、上記実施例は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【００４７】
例えば、印刷ラインシステムに、裁断後の用紙の用紙の間に所定の用紙を挟みこむインサータ（挿入装置）を接続してもよいし、印刷セット毎に区分け作業を行うスタッカー（区分け装置）を接続してもよい。尚、これらの装置についても、読取装置及び印刷装置を設ける必要がある。
【００４８】
また、印刷ラインシステムに、印刷ラインを構成する各装置を統合制御する制御コントローラ装置を接続してもよい。例えば、必要に応じてこの制御コントローラ装置に、各装置が読み取った識別情報等を送信するようにしてもよい。また、制御コントローラ装置が各装置のノードＩＤを設定しなおすように構成してもよい。
【００４９】
また、上記実施例では、印刷装置がバーコードを印刷し、読取装置がこの印刷されたバーコードを読み取るように構成したがこのような構成に限定されず、例えば、磁気インクにより各装置の識別情報を印刷し、磁気的な読取装置によって、この識別情報を読み取るように構成してもよい。
【図面の簡単な説明】
【００５０】
【図１】本発明に係る印刷ラインシステムについての構成を示した例示図である。
【図２】第１プリンタの構成を示した図である。
【図３】プリンタコントローラの構成を示した図である。
【図４】読取装置の構成を示した図である。
【図５】アンワインダに備えられているアンワインダコントローラの構成を示す図である。
【図６】印刷装置の構成を示した図である。
【図７】連続紙にバーコードが印刷された場合の例示図である。
【図８】識別情報としてバーコード以外の識別情報を印刷する場合の第１変形例を示す図である。
【図９】識別情報としてバーコード以外の識別情報を印刷する場合の第２変形例を示す図である。
【図１０】セットアップ処理の遷移の要否を判定処理を示したフローチャートである。
【図１１】セットアップ処理の説明図である。
【図１２】セットアップ処理の説明図である。
【図１３】印刷ラインシステムの変形例を示した図である。
【符号の説明】
【００５１】
１、１Ａ                                  印刷ラインシステム
２                                        連続紙
１０                                      ＩＥＥＥ１３９４シリアルバス
１００                                    アンワインダ
２００                                    第１プリンタ
３００                                    第２プリンタ
４００                                    ワインダ
【図１】
2008114500.tif 000003
【図２】
2008114500.tif 000004
【図３】
2008114500.tif 000005
【図４】
2008114500.tif 000006
【図５】
2008114500.tif 000007
【図６】
2008114500.tif 000008
【図７】
2008114500.tif 000009
【図８】
2008114500.tif 000010
【図９】
2008114500.tif 000011
【図１０】
2008114500.tif 000012
【図１１】
2008114500.tif 000013
【図１２】
2008114500.tif 000014
【図１３】
2008114500.tif 000015